(57)【特許請求の範囲】
【請求項１】
表示画像を選択するユーザ端末と、
前記ユーザ端末との間で通信可能であり、かつ、前記ユーザ端末から前記表示画像が伝送される管理サーバと、
前記管理サーバとの間で通信可能であり、かつ、前記管理サーバから伝送される前記表示画像を表示するモニターと、
を有する画像表示システムにおいて、
前記モニターは、
筐体と、
前記サーバから伝送される前記表示画像を表示するディスプレイと、
前記筐体の内部の温度を制御する温度制御装置と、
前記ユーザ端末を操作するユーザの指示に基づいて、前記ユーザの顔画像を取得する取得装置と、
前記取得装置が前記ユーザの顔画像を取得した後、前記ユーザの指示無しで前記ディスプレイの前方に存在する人間の実際の顔画像を検出する顔検出装置と、
前記取得装置が取得した前記ユーザの顔画像と、前記顔検出装置が検出した実際の顔画像とが一致するか不一致かを判断する顔認証装置と、
前記顔認証装置により前記ユーザの顔画像と前記実際の顔画像とが一致すると判断されると、前記温度制御装置を作動させて前記筐体の内部の温度制御を実行し、前記顔認証装置により前記ユーザの顔画像と前記実際の顔画像とが不一致と判断されると、前記筐体の内部の温度制御を不実行とする総合制御装置と、
を有する、画像表示システム。
【請求項２】
請求項１記載の画像表示システムにおいて、
前記温度制御装置は、電源の電力で作動して前記筐体の内部の温度を制御する、画像表示システム。
【請求項３】
請求項１または２記載の画像表示システムにおいて、
屋外に設置される供養塔が、前記モニターを有し、
前記ディスプレイは、前面硬化ガラス張りである、画像表示システム。
【発明の詳細な説明】
【技術分野】
【０００１】
本発明は、管理サーバから伝送される表示画像を表示する、画像表示システムに関する。
【背景技術】
【０００２】
装置正面に画像を表示する屋外用表示装置の一例が、特許文献１に記載されている。特許文献１に記載されている屋外用表示装置は、建物の壁に固定される筐体と、筐体の内部に設けた表示装置及び排気ファンと、を有する。そして、表示装置の下部吸気口から入った冷気は表示装置の内部で温度上昇する。表示装置の排気装置により、表示装置の実装箇所の背面空間に排出された熱気は、エアーダクト内へ送り込まれ、そのエアーダクト内の熱気は、排気口から筐体の外部へ排気される。
【先行技術文献】
【特許文献】
【０００３】
【特許文献１】特開平３−２２５９５号公報
【発明の概要】
【発明が解決しようとする課題】
【０００４】
しかし、特許文献１に記載された屋外用表示装置は、周囲に居る人間と排気ファンとの関係が考慮されておらず、改善の余地があった。
【０００５】
本発明の目的は、予め取得している顔情報と、ディスプレイの周囲にいる人間の実際の顔情報とが一致するか否かに応じて、筐体の内部の温度制御の有無を制御可能な画像表示システムを提供することである。
【課題を解決するための手段】
【０００６】
本発明における画像表示システムは、表示画像を選択するユーザ端末と、前記ユーザ端末との間で通信可能であり、かつ、前記ユーザ端末から前記表示画像が伝送される管理サーバと、前記管理サーバとの間で通信可能であり、かつ、前記管理サーバから伝送される前記表示画像を表示するモニターと、を有する画像表示システムにおいて、前記モニターは、筐体と、前記サーバから伝送される前記表示画像を表示するディスプレイと、前記筐体の内部の温度を制御する温度制御装置と、前記ユーザ端末を操作するユーザの指示に基づいて、前記ユーザの顔画像を取得する取得装置と、前記取得装置が前記ユーザの顔画像を取得した後、前記ユーザの指示無しで前記ディスプレイの前方に存在する人間の実際の顔画像を検出する顔検出装置と、前記取得装置が取得した前記ユーザの顔画像と、前記顔検出装置が検出した実際の顔画像とが一致するか不一致かを判断する顔認証装置と、前記顔認証装置により前記ユーザの顔画像と前記実際の顔画像とが一致すると判断されると、前記温度制御装置を作動させて前記筐体の内部の温度制御を実行し、前記顔認証装置により前記ユーザの顔画像と前記実際の顔画像とが不一致と判断されると、前記筐体の内部の温度制御を不実行とする総合制御装置と、を有する。
【発明の効果】
【０００７】
本発明の画像表示システムは、先に取得した顔画像と、後で取得した顔画像とが一致すると判断されると、温度制御装置を起動させて筐体の内部の温度制御を実行する。一方、顔画像と実際の顔画像とが不一致と判断されると、温度制御装置が停止され、筐体の内部の温度制御が行われない。
【図面の簡単な説明】
【０００８】
【図１】本発明の一実施の形態における画像表示システムの構成例の概要を示す図である。
【図２】本発明の一実施の形態における管理サーバのユーザ情報記憶部に記憶されているユーザ情報の構成例の概要を示す図である。
【図３】本発明の一実施の形態における管理サーバの画像情報記憶部に記憶されている画像情報の構成例の概要を示す図である。
【図４】本発明の一実施の形態における全体処理の概要を示す図である。
【図５】本発明の一実施の形態におけるユーザ情報記憶処理の概要を示す図である。
【図６】本発明の一実施の形態における画像情報記憶処理の概要を示す図である。
【図７】本発明の一実施の形態における画像情報選択処理の概要を示す図である。
【図８】（Ａ）は、本発明の一実施の形態におけるユーザ端末に表示される表示画像選択用画面の構成例の概要を示す図、（Ｂ）は、モニターに表示される表示画像選択用画面の構成例の概要を示す図である。
【図９】本発明の一実施の形態における画像情報表示処理の概要を示す図である。
【図１０】本発明の一実施の形態におけるモニターの概要を示す正面図である。
【図１１】本発明の一実施の形態におけるモニターの内部の構造の概要を示す斜視図である。
【図１２】本発明の一実施の形態におけるモニターに表示画像表示用画面が表示されている概要を示す斜視図である。
【図１３】本発明の一実施の形態における供養塔の概要を示す正面図である。
【図１４】本発明の一実施の形態における供養塔の概要を示す斜視図である。
【図１５】本発明の一実施の形態における供養塔に表示画像表示用画面が表示されている概要を示す正面図である。
【図１６】本発明の一実施の形態における画像表示システムで行われる制御例を示すフローチャートである。
【発明を実施するための形態】
【０００９】
以下、本発明の実施の形態を図面に基づいて詳細に説明する。なお、実施の形態を説明するための全図において、同一部には原則として同一の符号を付し、その繰り返しの説明は省略する。
【００１０】
＜全体構成＞
図１は、本発明の一実施の形態における画像表示システムの構成例の概要を示す図である。図１に示されるように、画像表示システムは、ユーザ端末１００と、ユーザ端末１００とネットワークを介して接続されるモニター３００と、ユーザ端末１００およびモニター３００とネットワークを介して接続される管理サーバ２００とを有する。モニター３００は、墓地、霊園、墓苑等において、例えば、屋外または室内に設置される。管理サーバ２００は、墓地、霊園、墓苑の管理事務所等、室内に設けられる。なお、管理サーバ２００とモニター３００とは、無線通信または有線通信の何れによって接続されていてもよい。ユーザ端末１００は、ユーザが所持及び操作する携帯型端末、例えば、スマートフォンである。なお、ユーザ端末１００とモニター３００との間で、管理サーバ２００を経由することなく通信可能な構成であってもよい。
【００１１】
管理サーバ２００は、ユーザ情報記憶部２１１と、画像情報記憶部２１２と、表示画像選択用画面作成部２２０と、表示画像表示用画面作成部２３０とを有する。ユーザ情報記憶部２１１には、ユーザ端末１００から取得されるユーザ情報が記憶されている。画像情報記憶部２１２には、ユーザ端末１００から取得される画像情報が記憶されている。
【００１２】
管理サーバ２００は、ｗｉｆｉ（登録商標）またはｂｌｕｅｔｏｏｔｈ（登録商標）に対応するＯＳを構成する。また、管理サーバ２００が構成するＯＳは、Ｗｉｎｄｏｗｓ（登録商標）、ｉＯＳ、Ａｎｄｒｏｉｄ（登録商標）等に対応する。また、管理サーバ２００はクラウド上で管理できる。これにより、管理サーバ２００は、２４時間稼働でき、ユーザが、墓地、霊園、墓苑等の他、自宅、車内等、どの場所に居てもユーザによるユーザ端末１００の操作信号を、管理サーバ２００が受信する。
【００１３】
表示画像選択用画面作成部２２０は、ユーザ端末１００のディスプレイに表示される表示画像選択用画面８０１を作成する。また、表示画像選択用画面作成部２２０は、モニター３００のディスプレイ１００２に表示される表示画像選択用画面８０６を作成する。なお、表示画像選択用画面８０１および表示画像選択用画面８０６については後述する。モニター３００は電源１１へ接続される。電源１１は、交流電源または直流電源の何れでもよい。直流電源は、充電及び放電が可能な二次電池を含む。電源１１が二次電池であり、かつ、電源１１が太陽光発電システムに接続されていると、太陽光発電システムで得た電力を電源１１へ充電可能である。
【００１４】
＜ユーザ情報記憶部＞
図２は、本発明の一実施の形態における管理サーバ２００のユーザ情報記憶部２１１に記憶されているユーザ情報の構成例の概要を示す図である。図２に示されるように、ユーザ情報は、ユーザＩＤと、氏名と、メールアドレスと、顔認証用画像と、画像情報ＩＤなどのデータ項目により構成される。なお、ユーザは家族ごと（例えば代表者など）としてもよい。これにより、本発明に係る画像表示システムは、複数の家族にシェアして利用させることを実現できる。
【００１５】
ユーザＩＤは、ユーザを識別するための符号を示す。氏名は、ユーザの氏名を示す。メールアドレスは、ユーザのメールアドレスを示す。顔認証用画像は、ユーザの顔を認証するための画像、例えば顔写真を示す。画像情報ＩＤは、ユーザが管理サーバ２００に送信した画像情報を識別するための符号を示す。
【００１６】
＜画像情報記憶部＞
図３は、本発明の一実施の形態における管理サーバ２００の画像情報記憶部２１２に記憶されている画像情報の構成例の概要を示す図である。図３に示されるように、画像情報は、画像情報ＩＤと、画像データと、動画データと、文字データにより構成される。
【００１７】
画像情報ＩＤは、画像または動画または文字からなるデータの集合を識別するための符号を示す。画像データは、モニター３００の表示画像表示用画面１２０１（後述する図１２）において、表示させたい画像の情報を示す。画像データの形式は、例えば、ＪＰＥＧ（Joint Photographic Experts Group）データである。動画データは、表示画像表示用画面１２０１において、表示させたい動画の情報を示す。動画データの形式は、例えば、ＭＰ４データである。なお、動画データは音声データを包含する。文字データは、表示画像表示用画面１２０１において、表示させたい文字や言葉の情報を示す。文字データの形式は、例えば、ＤＯＣデータである。また、管理サーバ２００は、画像情報ＩＤを、画像または動画または文字からなるデータの集合を送信したユーザが有するユーザＩＤと紐付けて、画像情報記憶部２１２に記憶させる。
【００１８】
＜モニター＞
モニター３００は、制御部１０、ディスプレイ１００２、顔認証用カメラ１１０７及び物体検出部１３を有する。制御部１０、ディスプレイ１００２、顔認証用カメラ１１０７及び物体検出部１３は、電源１１の電力で起動される。制御部１０は、入力ポート、出力ポート、中央演算処理回路、比較回路、記憶回路及びタイマー等を有するマイクロコンピュータである。制御部１０と管理サーバ２００との間で相互に信号の伝送が行われる。また、顔認証用カメラ１１０７で撮影した画像の情報は、制御部１０へ入力される。管理サーバ２００から、画像情報記憶部２１２及びユーザ情報記憶部２１１に記憶されている情報（例えば、データ、画像等）を含む信号が制御部１０へ伝送されると、制御部１０は信号を処理し、かつ、情報を記憶可能である。
【００１９】
ディスプレイ１００２は、一例として液晶ディスプレイ（ＬＣＤ：liquid crystal display）、硬化ガラス張りディスプレイを用いることが可能である。液晶ディスプレイは、光源等の表面に、液晶の光学特性を利用した複数のシャッターを配置し、様々なパターンでシャッターを開閉することによって情報を表示する装置である。また、ディスプレイ１００２は、画面上の操作部８０、例えば、表示ボタン、タブ等を押すことで、入力操作、選択操作、切り替え操作等をおこなうことができるタッチパネルの機能を有する。操作部８０の操作信号は、制御部１０へ入力され、制御部１０は、操作部８０の操作信号に応じた処理及び制御を行う。
【００２０】
物体検出部１３は、温度センサ及び距離センサを含む。温度センサは、物体の温度を検出して信号を検出する非接触式センサであり、例えば、赤外線センサである。距離センサは、対象物とモニター３００との距離検出して信号を出力する非接触式のセンサであり、例えば、光学センサ、ミリ波レーダ、超音波センサなどである。物体検出部１３の信号は、制御部１０へ入力される。制御部１０は、物体の温度及び、物体がモニター３００に対して移動しているか否か等に基づいて、物体が人間であるか否かを判断し、かつ、人間とモニター３００との距離を判断する。
【００２１】
また、顔認証用カメラ１１０７から情報が制御部１０へ入力されると、制御部１０は信号を処理し、かつ、情報を記憶可能である。また、制御部１０は、管理サーバ２００から伝送された顔画像と、顔認証用カメラ１１０７で撮影した顔画像とを比較する顔認識機能を有する。さらに、制御部１０は、各種の情報をディスプレイ１００２で表示する機能を有し、かつ、管理サーバ２００から伝送された顔画像と、顔認証用カメラ１１０７で撮影した顔画像とを比較する顔認識の結果に基づいて、ディスプレイ１００２で表示する内容を制御する機能を有する。また、制御部１０は、モニター３００の前面から所定距離（例えば、５ｍ）内に近づいた人間、例えば、ユーザの顔を認証し、かつ、記憶回路に記憶する機能を有し、その情報を管理サーバ２００へ伝送する機能を有する。また、制御部１０は、タイマーを有するため、ユーザが、モニター３００の前面の所定距離内からいなくなった時点からの経過時間を計測する機能を有する。
【００２２】
制御部１０は、モニター３００の前面の所定距離内からいなくなった時点からの経過時間が所定時間、例えば、数分が経過するとディスプレイ１００２をスリープ状態にする機能を有する。なお、ディスプレイ１００２がスリープ状態であると、全ての画像、情報等の表示を停止するが、制御部１０、顔認証用カメラ１１０７、物体検出部１３等は起動されている。また、管理サーバ２００は、制御部１０から伝送される情報を、ユーザ情報記憶部２１１または画像情報記憶部２１２へ記憶する。
【００２３】
＜全体処理＞
図４は、本発明の一実施の形態における全体処理の概要を示す図である。まず、Ｓ４０１にて、管理サーバ２００はユーザ情報記憶処理（図５で後述する）を行う。次に、Ｓ４０２にて、管理サーバ２００は画像情報記憶処理（図６で後述する）を行う。次に、Ｓ４０３にて、管理サーバ２００は画像情報選択処理（図７で後述する）を行う。次に、Ｓ４０４にて、管理サーバ２００は画像情報表示処理（図９で後述する）を行う。
【００２４】
＜ユーザ情報記憶処理＞
図５は、本発明の一実施の形態におけるユーザ情報記憶処理の概要を示す図である。以下、管理サーバ２００が、ユーザ情報を記憶する方法について説明する。
【００２５】
まず、Ｓ５０１にて、ユーザ端末１００の入力部は、ユーザの氏名と、メールアドレスと、顔認証用画像などからなるユーザ情報の入力をユーザから受け付ける。その後、Ｓ５０２にて、ユーザ端末１００は、ユーザ情報を管理サーバ２００に送信する。
【００２６】
その後、Ｓ５０３にて、管理サーバ２００は、受信したユーザ情報にユーザＩＤを付して、Ｓ５０１にて入力を受け付けたユーザ情報をユーザ情報記憶部２１１に記憶させる。
【００２７】
＜画像情報記憶処理＞
図６は、本発明の一実施の形態における画像情報記憶処理の概要を示す図である。以下、管理サーバ２００が、画像情報を記憶する方法について説明する。
【００２８】
まず、Ｓ６０１にて、ユーザ端末１００の入力部は、画像データ、動画データ、文字データからなる情報の入力をユーザから受け付ける。その後、Ｓ６０２にて、ユーザ端末１００は、画像データ、動画データ、文字データからなる情報を管理サーバ２００に送信する。
【００２９】
その後、Ｓ６０３にて、管理サーバ２００は、受信した情報に画像情報ＩＤを付して、Ｓ６０１にて入力を受け付けた画像データ、動画データ、文字データからなる情報を画像情報記憶部２１２に記憶させる。なお、管理サーバ２００は、例えば画像であれば、ユーザあたり最大１００枚の画像データを画像情報記憶部２１２に記憶させる。
【００３０】
＜画像情報選択処理＞
図７は、本発明の一実施の形態における画像情報選択処理の概要を示す図である。管理サーバ２００が、ユーザに表示画像を選択させる方法について説明する。
【００３１】
まず、Ｓ７０１にて、管理サーバ２００は、図８（Ａ）に示す表示画像選択用画面８０１、または、図８（Ｂ）に示す表示画像選択用画面８０６を生成する。なお、表示画像選択用画面８０１は、ユーザ端末１００のディスプレイに表示される。また、表示画像選択用画面８０６は、モニター３００のディスプレイ１００２に表示される。
【００３２】
管理サーバ２００は、ユーザ情報記憶部２１１に記憶された、ユーザ情報から、ユーザＩＤを呼び込み、それに紐付いている画像情報ＩＤを呼び込む。その後、画像情報ＩＤに対応する画像情報が有するうち、例えば画像データを、図８で後述する、表示画像選択用画面８０１の表示画像選択領域８０２に、横並びに配置させる。このようにして、管理サーバ２００は、表示画像選択用画面８０１、または、８０６を生成する。なお、画像データが単数であるか複数であるかは問わないものとし、説明した配置方法に限定されない。また、画像データの代わりに、動画データや、文字データとしても、管理サーバ２００は同様の方法で表示画像選択用画面８０１の表示画像選択領域８０２に、横並びに配置させる。
【００３３】
次に、Ｓ７０２にて、管理サーバ２００は、表示画像選択用画面８０１をユーザ端末１００に、提供する。また、管理サーバ２００は、表示画像選択用画面８０６をモニター３００に、提供する。また、モニター３００が備える顔認証用カメラ１１０７（後述する）によって捉えられたユーザの顔を、ユーザ情報記憶部２１１に記憶されているユーザの顔の中から特定できる場合には、管理サーバ２００は、特定したユーザＩＤに紐付いている画像情報を呼び出す。これにより、ユーザがユーザ端末１００を持ち合わせない時でも、容易に管理サーバ２００は表示画像選択用画面８０１，８０６を生成し、その後の処理を行うことができる。
【００３４】
なお、モニター３００が備える顔認証用カメラ１１０７によって捉えられたユーザの顔を、ユーザ端末１００から取得し、記憶した顔認証用画像の中から特定できない場合には、例えば、管理サーバ２００は、ユーザにスマートフォンが有する画像をミラーニングさせることにより、特定したユーザＩＤに紐付いている画像情報を呼び出す。
【００３５】
そして、Ｓ７０３にて、ユーザ端末１００は、ユーザ端末１００のディスプレイに表示画像選択用画面８０１を表示させる。また、モニター３００は、モニター３００のディスプレイに表示画像選択用画面８０６を表示させる。なお、モニター３００の顔認証用カメラ１１０７がユーザの顔を撮影すると、制御部１０は撮影された画像を記憶回路に記憶可能する。このため、制御部１０は、顔認証用カメラ１１０７によって撮影したユーザの顔を、管理サーバ２００から取得し、かつ、記憶した顔認証用画像の中から特定することにより、ディスプレイ１００２の表示画像選択用画面８０６で表示できる。つまり、制御部１０は、ユーザの顔認識機能を備えている。
【００３６】
その後、Ｓ７０４にて、ユーザは、ユーザ端末１００に表示された表示画像選択用画面８０１、または、モニター３００に表示された表示画像選択用画面８０６から、表示画像を選択する。選択の方法については後述する。その後、Ｓ７０５にて、ユーザ端末１００は、選択した表示画像を、管理サーバ２００に送信する。
【００３７】
その後、Ｓ７０６にて、管理サーバ２００は、ユーザ端末１００から送信された表示画像を取得する。そして、管理サーバ２００は、取得した画像情報に基づいて、表示画像表示用画面１２０１を表示する。
【００３８】
図８は、本発明の一実施の形態におけるユーザ端末１００（例えば、スマートフォンとした場合）に表示される表示画像選択用画面８０１、または、モニター３００に表示される表示画像選択用画面８０６の構成例の概要を示す図である。図８に示されるように、表示画像選択用画面８０１は、表示画像選択領域８０２と、決定タブ８０５を含む。表示画像選択領域８０２は、表示画像を示す複数のアイコン８０３および８０４を含む。なお、表示画像は単数または複数とし、その個数は特に限定されない。また、表示画像は、画像データの代わりに、動画データや、文字データとしても同様である。
【００３９】
表示画像選択用画面８０１は、複数のアイコン８０３および８０４（以下８０４は省略する）の中から、ユーザが最終的にモニター３００に表示させたい表示画像を、ユーザが選択する入力を受け付ける。表示画像選択用画面８０１は、ユーザに、希望するアイコン８０３をタップまたはクリックさせることで、選択候補を１つに絞り、その後、決定タブ８０５をタップまたはクリックさせることで、最終的にモニター３００に表示させたい表示画像を決定する。なお、モニター３００に表示される表示画像選択用画面８０６の場合についても、選択の方法については同様である。
【００４０】
なお、ユーザがモニター３００の前に来た時に、管理サーバ２００は、Ｓ４０４の画像情報表示処理（図９で後述する）にて、画像等をモニター３００に表示させることもできる。その場合は、管理サーバ２００は、毎回同じ画像等をモニター３００に表示させる。
【００４１】
＜画像情報表示処理＞
図９は、本発明の一実施の形態における画像情報表示処理の概要を示す図である。以下、管理サーバ２００が、画像情報を表示させる方法について説明する。まず、Ｓ９０１にて、管理サーバ２００は、Ｓ７０６にて生成した表示画像表示用画面１２０１を、モニター３００に提供する。その後、Ｓ９０２にて、モニター３００は表示画像表示用画面１２０１をディスプレイに表示させる。
【００４２】
モニター３００は、前面硬化ガラス張りであり、顔認証機能を有し、タッチパネル操作を可能とするディスプレイ１００２を有する。顔認証は、顔認証用カメラ１１０７で撮影したユーザの顔と、制御部１０の記憶回路に記憶されている顔認証用画像とを比較する。制御部１０は、ユーザがモニター３００の前面から所定距離（例えば５ｍ）以内に居なくなってから数分を経過すると、ディスプレイ１００２をスリープ状態とし、ユーザがモニター３００の前面から所定距離内に近づいたら、ディスプレイ１００２のスリープ状態を解除する。
【００４３】
また、制御部１０は、ディスプレイ１００２がスリープ状態である間に、ユーザとは異なる他者がモニター３００の前面から所定距離内に近づいた場合、ディスプレイ１００２のスリープ状態を維持する。ディスプレイ１００２がスリープ状態である場合に、モニター３００の前面から所定距離内に人間が近付き、制御部１０の記憶回路に記憶されている顔画像と、認証カメラ１００７で撮影した実際の顔画像とが一致すると、制御部１０は、ディスプレイ１００２のスリープ状態を解除する。
【００４４】
また、モニター３００は、常時、電源１１へ接続されている。そして、例えば、ユーザがモニター３００の前面から所定距離内に居なくなってから1分を経過すると、制御部１０は、ディスプレイ１００２をスリープ状態になり画面が消える。また、ユーザがモニター３００の前面から所定距離内に近づいたら、制御部１０は、ディスプレイ１００２のスリープ状態を解除する。この特性により、ユーザが画像表示システムを利用しない時には、そのユーザを特定する画像等がディスプレイ１００２で表示されることを防止でき、ユーザの個人情報保護を実現できる。
【００４５】
また、上記特性によって、本発明に係る画像表示システムは、故人の墓参りに訪れた来訪者が、供養塔のモニター３００がスリープ状態を解除した直後、スリープ状態になる前に表示していた異なる故人についての画像が表示されてしまうことを防止でき、墓参りに訪れた来訪者とスリープ状態になる前に表示していた異なる故人の近親者との感情を害することを防止できる。
【００４６】
＜モニター＞
図１０は、本発明の一実施の形態におけるモニター３００の概要を示す正面図である。図１０に示されるように、モニター３００は、筐体１００１と、ディスプレイ１００２を含む。モニター３００は、屋外および屋内に設置できる。また、モニター３００は、その構成を一般的な埋葬施設に包含できる。
【００４７】
モニター３００の筐体１００１は、例えば、素材を鉄やアルミ等の金属、またはプラスチック等とできる。また、モニター３００の筐体１００１は、セラミックコーティング等の表面処理を行ったものとしてもよい。これにより、モニター３００の筐体１００１は、屋外での設置に求められる耐久性を向上できる。
【００４８】
モニター３００のディスプレイ１００２は、例えば、画面の大きさを４３〜８５インチとできる。モニター３００のディスプレイ１００２は、縦置きと、横置きとの両方に対応できるディスプレイとする。モニター３００のディスプレイ１００２は、例えば３８４０×２１６０ドットで４０００画素である高解像度のＩＰＳパネルとできる。また、モニター３００のディスプレイ１００２は、自動輝度調整機能や、画面分割表示機能を有する。
【００４９】
また、モニター３００のディスプレイ１００２は、例えば１７８°の視野角に対応できるディスプレイとする。さらに、モニター３００のディスプレイ１００２は、タッチパネル式とできる。これにより、モニター３００は、ユーザに、モニター３００へ直接タッチ操作を行わせることで、表示画像を選択させることができる。また、モニター３００のディスプレイ１００２は、例えば前面硬化ガラス張りである。前面硬化ガラス張りで構成することにより、モニター３００のディスプレイ１００２は、防水性を向上できる。
【００５０】
図１１は、本発明の一実施の形態におけるモニター３００の概要を示す斜視図である。図１１に示されるように、モニター３００は、筐体１００１と、空調装置１１０１と、排気および排熱用ファン１１０２と、防塵フィルター１１０３と、避雷針接続ケーブル１１０４と、盗難防止機構１１０６と、顔認証用カメラ１１０７と、スピーカー１１０８と、ＵＳＢ端子１１０９と、制御部１０と、を有する。避雷針接続ケーブル１１０４は、外部に設置された避雷針１１０５に接続される。
【００５１】
空調装置１１０１は、筐体１００１の内部に設けられており、例えば、冷媒配管を用いず、圧縮機と凝縮器と蒸発器を一体とした一体型エアーコンディショナーとできる。空調装置１１０１の大きさは特に限定されないが、モニター３００の筐体１００１内部に、全てが収まる大きさとする。また、モニター３００は、筐体１００１の内部の温度及び外部の温度を検出する温度センサ２０を有する。温度センサ２０の信号は、制御部１０へ入力される。制御部１０は、入力される信号及び記憶されているデータに基づいて空調装置１１０１を制御し、筐体１００１の内部を自動的に冷暖房する機能を有する。空調装置１１０１を稼働させることによって、モニター３００は、筐体１００１内部の温度を常に常温付近（例えば１５℃〜２５℃程度）に保持できる。また、これにより、モニター３００は、例えば−２０℃〜５０℃の屋外環境でも、使用できる。
【００５２】
排気および排熱用ファン１１０２は、例えば、排気用ダクトを有さない小型の構造とできる。排気および排熱用ファン１１０２の大きさは特に限定されないが、モニター３００の筐体１００１内部に、全てが収まる大きさとする。制御部１０は、入力される信号及び記憶されているデータに基づいて、排気および排熱用ファン１１０２の駆動及び停止を制御する。空調装置１１０１、排気および排熱用ファン１１０２は、電源１１から供給される電力により作動する。
【００５３】
図１６は、画像表示システムで行われる制御例を示すフローチャートである。制御部１０は、ステップＳ１１でユーザの指示に基づいて、ユーザの顔画像を取得して記憶回路に記憶する。ステップＳ１１の処理は、ユーザがユーザ端末１００を操作することにより、ユーザの顔画像を制御部１０の記憶回路に記憶すること、または、ユーザが、ディスプレイ１００２の操作部８０を操作して顔認証用カメラ１１０７でユーザの顔像を撮影し、かつ、顔画像を制御部１０の記憶回路に記憶することの何れでもよい。ユーザが、顔認証用カメラ１１０７によって、自分の顔画像を撮影する場合、モニター３００の周囲にユーザ以外の他者が存在しないことを確認して撮影する。
【００５４】
ステップＳ１１の後に、制御部１０は、ステップＳ１２において、顔認証用カメラ１１０７で撮影した実際の顔画像を取得する。ステップＳ１２において、顔認証用カメラ１１０７が撮影する人間の顔画像は、ユーザの操作によるものではなく、制御部１０が、モニター３００の前面から所定距離内に人間が存在することを検出した時点で、顔認証用カメラ１１０７を動作させて顔を撮影して取得したものである。このため、ステップＳ１２で取得した顔画像は、ユーザの顔画像であるとは限らず、ユーザとは異なる他者の顔画像の場合もある。
【００５５】
制御部１０は、ステップＳ１３において、ステップＳ１１で記憶回路に記憶した顔画像と、ステップＳ１２で取得した実際の顔画像とが一致するか否かを判断する。制御部１０は、ステップＳ１３でＹｅｓと判断すると、ステップＳ１４において、空調装置１１０１、排気および排熱用ファン１１０２のうち、少なくとも一方を起動させることにより、筐体１００１の内部の温度を、常温付近（例えば１５℃〜２５℃程度）に保持する温度制御を実行し、図１６の制御例を終了する。制御部１０は、ステップＳ１３でＮｏと判断するとステップＳ１５に進む。制御部１０は、ステップＳ１５において、空調装置１１０１、排気および排熱用ファン１１０２の両方を停止させて、筐体１００１の内部の温度制御を不実行とし、図１６の制御例を終了する。
【００５６】
制御部１０が、図１６の制御を行うと、ユーザがディスプレイ１００２の前にいると、筐体１００１の内部の温度を、常温付近（例えば１５℃〜２５℃程度）に保持されるため、筐体１００１の内部で結露が発生することを抑制できる。したがって、ディスプレイ１００２の表示不良、劣化等を抑制できる。制御部１０は、図１６の制御を行うと、ユーザとは異なる他者がディスプレイ１００２の前にいると、空調装置１１０１、排気および排熱用ファン１１０２の両方を停止させるため、電力の消費を抑制できる。
【００５７】
防塵フィルター１１０３は、例えば、材質をポリウレタンとした周知技術の防塵用フィルターとする。防塵フィルター１１０３の大きさは特に限定されないが、モニター３００の筐体１００１内部に、全てが収まる大きさとする。防塵フィルター１１０３を備えることによって、モニター３００は、筐体１００１内部に侵入する外部からの粉塵等の量を低減できる。
【００５８】
避雷針接続ケーブル１１０４は、例えば、材質を銅線とできる。避雷針接続ケーブル１１０４の長さまたは太さは特に限定されないが、モニター３００の筐体１００１内部と、外部に設置された避雷針１１０５とを接続できる長さまたは大きさとする。避雷針接続ケーブル１１０４は、両端のうちの一端が筐体１００１の有する導線引出端子と、また他端が外部に設置された避雷針１１０５の導線引出端子と接続される。避雷針接続ケーブル１１０４を備え、避雷針１１０５と接続させることによって、モニター３００は、防雷性を向上できる。
【００５９】
盗難防止機構１１０６は、例えば、素材を鉄やアルミ等の金属、またはプラスチック等とできる。また、盗難防止機構１１０６の大きさは特に限定されないが、モニター３００の筐体１００１外部に、嵩張らない程度に結合できる大きさとする。例えば、盗難防止機構１１０６は、幅５〜１０ｃｍ、直径３ｃｍ程度のコの字型の金属製フックとしてもよい。盗難防止機構１１０６は、筐体１００１の表面と、溶接等により一体的に接合される。また、モニター３００は、盗難防止機構１１０６に、例えばリング状の鍵を掛け、地上構造物等に繋ぐことができる。これにより、モニター３００は、盗難されることを防止できる。
【００６０】
顔認証用カメラ１１０７は、例えば、周知技術である小型ｗｅｂカメラや、ＩＰカメラとできる。また、顔認証用カメラ１１０７のレンズの大きさは特に限定されないが、例えば、直径５ｍｍから２０ｍｍ程度とできる。モニター３００は、筐体１００１の上部前面の位置に、モニター３００と対面する方向を視認できるように、顔認証用カメラ１１０７を、例えば１箇所設置する。なお、顔認証用カメラ１１０７は、位置、大きさ、範囲を上記説明のものに限定されない。これにより、モニター３００は、ユーザＩＤを顔認証によって管理サーバ２００から呼び出すことができ、容易に表示画像をモニター３００に表示できる。
【００６１】
スピーカー１１０８は、例えば、周知技術であるステレオ式スピーカー、または、アンプ内蔵型のステレオ式スピーカーとできる。なお、スピーカー１１０８は、防水性、防塵性、耐衝撃性を有する。スピーカー１１０８の大きさは、特に限定されないが、例えば、モニター３００の筐体１００１内部に、スピーカー１１０８の表面と筐体１００１の表面が同一平面にある状態で、スピーカー１１０８全てを埋め込むことが可能な程度の大きさとする。モニター３００は、筐体１００１の左右前面の位置に、モニター３００と対面する方向に発音できるように、スピーカー１１０８を、例えば２箇所設置する。なお、スピーカー１１０８は、位置、大きさ、範囲を上記説明のものに限定されない。
【００６２】
ＵＳＢ端子１１０９は、例えば、周知技術であるＵＳＢ接続用端子とできる。なお、ＵＳＢ端子１１０９は、端子を防護するための、例えばシリコン製カバー等を備える。これにより、ＵＳＢ端子１１０９は、防水性、防塵性、耐衝撃性を有する。ＵＳＢ端子１１０９の大きさは、特に限定されないが、例えば、モニター３００の筐体１００１内部に、ＵＳＢ端子１１０９の表面と筐体１００１の表面が同一平面にある状態で、ＵＳＢ端子１１０９全てを埋め込むことが可能な程度の大きさとする。ＵＳＢ端子１１０９は、筐体１００１の側面の位置に、例えば１箇所設置する。なお、ＵＳＢ端子１１０９は、位置、大きさ、範囲を上記説明のものに限定されない。
【００６３】
図１２は、本発明の一実施の形態におけるモニター３００に表示画像表示用画面が表示されている概要を示す斜視図である。図１２に示されるように、モニター３００は、ディスプレイ１００２に、表示画像表示用画面１２０１を表示させる。また、図１２は、設置台１２０２にモニター３００が設置されている様子を示しているが、この例に限定されない。
【００６４】
＜供養塔＞
図１３は、本発明の一実施の形態における画像表示システムを、供養塔に適用した例を示す正面図である。図１３に示されるように、供養塔は、ディスプレイ１３０１と、相輪１３０２と、屋根１３０３と、柱頭１３０４と、柱１３０５と、柱脚１３０６と、供養台１３０７と、壁１３０８と、床板１３０９と、土台１３１０と、基礎１３１１とにより構成される。
【００６５】
供養塔のディスプレイ１３０１の構成は、段落からで説明したものと同様の構成である。供養塔の相輪１３０２の最高点の地盤面高さは、例えば、３．５ｍとできる。供養塔の屋根１３０３の大きさは、例えば、幅２．９ｍ、奥行き２．９ｍとできる。供養塔の床板１３０９の大きさは、例えば、幅３ｍ、奥行き３ｍとできる。また、供養塔の柱１３０５の高さは、例えば、２ｍとできる。
【００６６】
供養塔は、躯体が石材で構成される。また、供養塔は内部に、空調装置１１０１と、排気および排熱用ファン１１０２と、防塵フィルター１１０３と、避雷針接続ケーブル１１０４と、盗難防止機構１１０６と、顔認証用カメラ１１０７と、スピーカー１１０８と、ＵＳＢ端子１１０９を含む。避雷針接続ケーブル１１０４は、外部に設置された避雷針１１０５に接続される。それぞれの詳細については、段落からで説明したものと同様であるため省略する。
【００６７】
図１４は、本発明の一実施の形態における供養塔１５の概要を示す斜視図である。図１５は、供養塔１５にモニター３００が設けられている概要を示す正面図である。図１５に示されるモニター３００は、図１に示すモニター３００と同様の構成を有する。図１５に示すモニター３００はディスプレイ１３０１を有し、ディスプレイ１３０１に表示画像表示用画面１５０１が表示される。供養塔１５は、墓地、霊園、墓苑等において、室内または屋外に設けられる。表示画像表示用画面１５０１の構成は、表示画像表示用画面１２０１の構成と同じである。
【００６８】
＜本実施の形態の効果＞
以上説明した本発明の実施の形態によれば、ユーザ端末１００を用いた無線通信によって、ユーザが、管理サーバ２００に対して遠隔操作を行うことで、画像表示システムは容易に表示させたい画像を選択し、モニター３００に表示できる。
【００６９】
また、画像表示システムは、防水性と、防塵性と、耐冷性および耐熱性と、防雷性と、盗難防止力を向上できる。さらに、画像表示システムは、顔認証機能により容易に表示させたい画像を選択し、モニター３００に表示できる。また、画像表示システムは、複数のユーザ、またその家族にシェアをして利用させることができるため、例えば墓地などに設置する際に、従来よりも省スペースを実現できる。
【００７０】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【００７１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００７２】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive ）等の記録装置、または、ＩＣカード、ＳＤカード、ＤＶＤ等の記録媒体に置くことができる。
【００７３】
なお、ユーザ端末１００とモニター３００との間で、管理サーバ２００を経由することなく通信可能な構成であってもよい。この場合、ユーザ端末１００を操作して入力されるユーザ情報、画像情報は、モニター３００の制御部１０に記憶される。また、ユーザは、ユーザ端末１００を操作することにより、排気および排熱用ファン１１０２の駆動及び停止、空調装置１１０１の駆動及び停止を切り替え可能である。さらに、排気および排熱用ファン１１０２の駆動及び停止、空調装置１１０１の駆動及び停止を、筐体１００１の内部の温度、外部の温度に関わりなく、ユーザが任意に切り替えることも可能である。
【００７４】
実施形態で説明した事項の技術的意味の一例は、次の通りである。ユーザ端末１００は、ユーザ端末の一例であり、管理サーバ２００は、管理サーバの一例である。モニター３００は、モニターの一例である。筐体１００１は、筐体の一例である。ディスプレイ１００２は、ディスプレイの一例である。制御部１０、排気および排熱用ファン１１０２、空調装置１１０１は、温度制御装置の一例である。ユーザ端末１００、管理サーバ２００及び制御部１０は、取得装置の一例である。顔認証用カメラ１１０７及び制御部１０は、顔検出装置の一例である。制御部１０は、顔認証装置の一例、総合制御装置の一例である。電源１１は、電源の一例である。
【００７５】
また、ステップＳ１１の処理は、“ユーザ端末を操作するユーザの指示に基づいて、ユーザの顔画像を取得する”の一例である。さらに、ステップＳ１２の処理は、“ユーザの指示無しでディスプレイの前方に存在する人間の実際の顔画像を検出する”の一例である。さらに、ステップＳ１３の判断は、“ユーザの顔画像と実際の顔画像とが一致するか不一致かを判断する”の一例である。さらに、ステップＳ１４の処理は、“ユーザの顔画像と実際の顔画像とが一致すると判断されると、温度制御装置を作動させて筐体の内部の温度制御を実行し”の一例である。さらに、ステップＳ１５の処理は、“ユーザの顔画像と実際の顔画像とが不一致と判断されると、筐体の内部の温度制御を不実行とする”の一例である。
【符号の説明】
【００７６】
１０…制御部
１１…電源
１００…ユーザ端末
２００…管理サーバ
２１１…ユーザ情報記憶部
２１２…画像情報記憶部
２２０…表示画像選択用画面作成部
２３０…表示画像表示用画面作成部
３００…モニター
１００１…筐体
１００２…ディスプレイ
１１０１…空調装置
１１０２…排気および排熱用ファン
１１０７…顔認証用カメラ
【要約】
【課題】取得している顔画像と、ディスプレイの周囲にいる人間の実際の顔画像とが一致するか否かにより、筐体の内部の温度制御を実行するかどうかを決める画像表示システムを提供する。
【解決手段】ユーザ端末１００、管理サーバ２００及びモニター３００を有する画像表示システムであって、モニター３００は、表示画像を表示するディスプレイ１００２と、温度を制御する温度制御装置と、ユーザの指示によりユーザの顔画像を取得する制御部１０と、ユーザの指示無しでディスプレイ１００２から所定距離内にいる人間の実際の顔画像を検出する顔認証用カメラ１１０７と、顔画像と実際の顔画像とが一致するか不一致かを判断する制御部１０と、顔画像と実際の顔画像とが一致すると判断されると、温度制御装置を作動させて筐体の内部の温度制御を実行し、顔画像と実際の顔画像とが不一致と判断されると、温度制御を行わない制御部１０と、を有する。
【選択図】図１【図１】
0006881808.tif 000002
【図２】
0006881808.tif 000003
【図３】
0006881808.tif 000004
【図４】
0006881808.tif 000005
【図５】
0006881808.tif 000006
【図６】
0006881808.tif 000007
【図７】
0006881808.tif 000008
【図８】
0006881808.tif 000009
【図９】
0006881808.tif 000010
【図１０】
0006881808.tif 000011
【図１１】
0006881808.tif 000012
【図１２】
0006881808.tif 000013
【図１３】
0006881808.tif 000014
【図１４】
0006881808.tif 000015
【図１５】
0006881808.tif 000016
【図１６】
0006881808.tif 000017